(57)【要約】      （修正有）【課題】授乳用クッションに利用できるとともに、乳児の背骨の後湾を安定に保つことができる乳児用ベッドにも利用できるようにした多機能クッションを提供する。【解決手段】一側縁に円弧状の凹部１１Ｃを有する２つのクッション半部１１Ａ，１１Ｂがその一側縁で相互に２つ折り可能に結合されており、乳児への授乳時には折り重ねた状態で円弧状凹部に母親の腰が嵌め込まれるようになっているクッション本体１１と、展開した上記クッション本体の中央に構成される穴に嵌め込まれることによって上記展開したクッション本体とともに乳児の背骨の後湾を保つことができるベッド面を構成し得る補助クッション１２と、を備える。【選択図】図１
2019198621.tif 000002
【特許請求の範囲】
【請求項１】
一側縁に平面円弧状の凹部（１１Ｃ）を有する２つのクッション半部（１１Ａ，１１Ｂ）がその一側縁で相互に２つ折り可能に結合されており、乳児への授乳時には折り重ねた状態で円弧状凹部（１１Ｃ）に母親の腰が嵌め込まれるようになっているクッション本体（１１）と、
展開した上記クッション本体（１１）の中央に構成される穴に嵌め込まれることによって上記展開したクッション本体（１１）とともに乳児の背骨の後湾を保つことができるベッド面を構成し得る補助クッション（１２）と、を備えたことを特徴とする多機能クッション。
【請求項２】
上記クッション本体（１１）の一方の半部（１１Ａ）には押されることによって流動し得る合成樹脂製の発泡ビーズが内蔵され、他方の半部（１１Ｂ）には押されることによって変形し得る綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体が内蔵され、上記補助クッション（１２）には押されることによって流動し得る合成樹脂製の発泡ビーズが内蔵されている請求項１記載の多機能クッション。
【請求項３】
上記クッション本体（１１）の半部（１１Ａ，１１Ｂ）は他側縁から一側縁に向けて厚みが薄くなる立体形状をなす請求項１記載の多機能クッション。
【請求項４】
上記クッション本体（１１）の半部（１１Ａ，１１Ｂ）には合成樹脂製の発泡ビーズが内蔵されている請求項１記載の多機能クッション
【請求項５】
上記クッション本体（１１）の半部（１１Ａ，１１Ｂ）には押されることによって変形し得る綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体が内蔵されている請求項１記載の多機能クッション。
【請求項６】
上記補助クッション（１２）には押されることによって流動し得る合成樹脂製の発泡ビーズ又は押されることによって変形し得る綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体が内蔵されている請求項１記載の多機能クッション。
【請求項７】
上記クッション本体（１１）の半部（１１Ａ，１１Ｂ）は押されることによって流動し得る合成樹脂製の発泡ビーズ又は押されることによって変形し得る綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体の主層の上に、該主層に比較して固い補助層が積層されいている請求項１記載の多機能クッション。
【請求項８】
上記補助層がポリウレタンフォーム又はポリエステルファイバーによって構成されている請求項７記載の多機能クッション。
【請求項９】
上記クッション本体（１１）及び補助クッション（１２）の少なくとも一方はその表面の全部又は一部に、母親の瞳の大きさに相当する直径の円形又は楕円形のドット模様を有する請求項１記載の多機能クッション。
【発明の詳細な説明】
【技術分野】
【０００１】
本発明は多機能クッションに関し、特に授乳用クッションに利用できるとともに、乳児の背骨の後湾を安定に保つことができる乳児用ベッドにも利用できるようにしたクッションに関する。
【背景技術】
【０００２】
赤ちゃんへの授乳時に母親の負担を軽くするようにした授乳用クッションが種々提案されている。
【０００３】
例えば、クッション全体を平面ドーナッツ状となし、授乳時には母親が腰廻りに装着してその上に乳児を載せて楽な姿勢で授乳できる一方、乳児の睡眠時にはクッションを床面に置き、クッション中央の穴部に乳児の背中を位置させ、乳児の背骨の後湾を安定に保つことができるベッドとして用いることができるようにした多機能クッションが提案されている（特許文献１）。
【０００４】
また、ドーナッツ状の授乳用クッションと、授乳用クッションの下側に差し込まれる側面変形台形状のベッド用クッションとからなり、授乳時には母親が授乳用クッションを腰廻りに装着してその上に乳児を載せて楽な姿勢で授乳できる一方、乳児の睡眠時には授乳用クッションの下側にベッド用クッションを差し込み、授乳用クッションとベッド用クッションとで構成される窪み（凹部）に乳児の背中を位置させ、乳児の背骨の後湾を安定に保つことができるようにした多機能クッションも提案されている（特許文献２）。
【先行技術文献】
【特許文献】
【０００５】
【特許文献１】特許第６０６１１６８号公報
【特許文献２】実用新案登録第３１８１０５９号公報
【発明の概要】
【発明が解決しようとする課題】
【０００６】
しかし、特許文献１記載の多機能クッションでは乳児の睡眠時にクッションの中央穴部に乳児を寝かせるようにしているので、乳児の体格が小さいときには乳児が穴に嵌まり込んでしまうおそれがあった。
【０００７】
また、特許文献２記載の多機能クッションではベッド用クッションで乳児の身体を受けるので、睡眠時の身体が安定するものの、ベッド用クッションを授乳用クッションの下側に差し込むようにしているので、ベッド用クッションが授乳用クッションに対して動いてしまい、乳児が無理な姿勢をとるおそれがあった。
【０００８】
本発明は、かかる問題点に鑑み、授乳用クッションに利用できるとともに、乳児の背骨の後湾を安定に保つことができる乳児用ベッドにも利用できるようにした多機能クッションを提供することを課題とする。
【課題を解決するための手段】
【０００９】
そこで、本発明に係る多機能クッションは、一側縁に平面円弧状の凹部を有する２つのクッション半部がその一側縁で相互に２つ折り可能に結合されており、乳児への授乳時には折り重ねた状態で円弧状凹部に母親の腰が嵌め込まれるようになっているクッション本体と、展開した上記クッション本体の中央に構成される穴に嵌め込まれることによって上記展開したクッション本体とともに乳児の背骨の後湾を保つことができるベッド面を構成し得る補助クッションと、を備えたことを特徴とする。
【００１０】
本発明の特徴の１つはクッション本体を２つ折り可能な形態となし、展開したクッション本体の中央部の円弧状凹穴に補助クッションを嵌め込めるようにした点にある。
【００１１】
これにより、母親が２つ折りの状態にしたクッション本体の一側縁の平面円弧状凹部に腰を嵌め込み、クッション本体の上側に乳児を載せると、乳児がクッション本体によって受けられ、乳児の姿勢が安定し、母親は楽な姿勢で授乳をすることができる。
【００１２】
また、クッション本体を展開し、中央穴に補助クッションを嵌め込み、その上にて乳児を寝かせると、展開したクッション本体と補助クッションとによって乳児の背中を受ける凹状のベッド面が形成され、乳児の背骨の後湾を安定に保つことができ、しかもクッション本体の中央穴に補助クッションを嵌め込むようにしているので、補助クッションがクッション本体に対して動くことはなく、乳児の体格に関係なく乳児を安定に寝かせることができ、乳児用ベッドの信頼性を大幅に向上できる。
【００１３】
クッション本体及び補助クッションはそれらの立体形状によって、例えば補助クッションを周囲のクッション本体に対して低くして乳児の背骨の後湾を安定に保つようにしてもよく、クッション本体及び補助クッションは内蔵物の特性、具体的には押し付けによって内蔵物が流動し又は変形するようにしてもよい。例えば、押し付けによって流動する合成樹脂製の発泡ビーズや押し付けによって変形する綿、ポリウレタンフォーム、ポリエチレンファイバー、ポリエステルファイバー又はこれらのファイバーが複雑にからみあった立体網目構造体、エラストマー樹脂、例えばポリエステル系エラストマー樹脂を原料とする３次元構造体を内蔵するようにすることができる。発泡ビーズを用いる場合、平均粒径０．５ｍｍ以上３０ｍｍ以下の範囲内の大きさの球状をなす発泡ビーズとするのがよく、内容積に対して９０容積％〜１３０容積％を内蔵するのがよい。
【００１４】
クッション本体の外形状は特に限定されず、大略８字状や矩形状を採用することができる。また、クッション本体の大きさは乳児の体格によって適宜選択するのがよく、例えば縦７０〜１２０ｃｍ、横５０〜８０ｃｍの大きさを採用することができる。さらに、厚みは５〜２５ｃｍを採用できる。また、厚みを縦方向に均等な厚みとしてもよいが、乳児の背骨の後湾を安定に保つことができるようにクッション本体の中央で薄くなるように厚みを変化させてもよい。
【００１５】
クッション本体及び補助クッションは乳児を寝かせたときに乳児が違和感を感じないような柔らかい素材であれば伸縮性のある素材でもよく、伸縮性のない素材でもよい。例えば、綿糸、ポリエステル糸及びポリウレタン糸を用いてパイル編みで編成したパイル編み生地、ポリウレタン弾性糸、ポリウレタン・ナイロン混紡糸あるいはナイロン巻きポリウレタン糸（カバリングヤーン）を用いて平編み、リブ編みあるいはパイル編みなどで編成した生地を用いることができ、さらに各種素材の不織布を用いることもできる。
【００１６】
また、クッション本体は一層としたが、表面を適度な固さにするために二層としてもよい。すなわち、クッション本体の半部は押されることによって流動し得る合成樹脂製の発泡ビーズ又は押されることによって変形し得る綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体の主層の上に、該主層に比較して固い補助層を積層して構成することができる。
【００１７】
また、乳児は母親の顔、特に瞳を認識する傾向にあり、母親の瞳と似たようなドット模様に対して視覚を刺激され、視覚の発達によい影響があることが期待される。そこで、も表面に母親の瞳と似たような大きさや形状のドット模様、例えば１０ｍｍ〜１３ｍｍの範囲内の直径の円形又は楕円形（楕円形の場合には短径が１０ｍｍ〜１３ｍｍの範囲内とする）のドット模様を描くと、授乳中にミルクを飲み疲れて寝てしまう乳児にドット模様を見せることによって、乳児の視覚を刺激して乳児の注意を喚起してしっかりと授乳させる効果が期待できる。ドットの色は特に限定されず、黒白赤その他の色を組み合わせることもできる。
【００１８】
クッション本体及び補助クッションの少なくとも一方はその表面の全部又は一部に、母親の瞳の大きさに相当する直径の円形又は楕円形のドット模様を設けることもできる。
【図面の簡単な説明】
【００１９】
【図１】本発明に係る多機能クッションの好ましい実施形態を示す概略分解斜視図である。
【図２】上記実施形態における展開した状態（ａ）及び２つ折りにした状態（ｂ）を示す概略斜視図である。
【図３】上記実施例の変形例を示す図である。
【図４】上記実施形態における使用例（ａ）（ｂ）を示す図である。
【図５】第２の実施形態を示す図である。
【図６】第３の実施形態を示す図である。
【図７】第４の実施形態を示す図である。
【図８】第５の実施形態を示す図である。
【発明を実施するための形態】
【００２０】
以下、本発明を添付図面に示す具体例に基づいて説明する。図１ないし図３は本発明に係る多機能クッションの好ましい実施形態を示す。図において、多機能クッション１０はクッション本体１１と補助クッション１２とから構成されている。
【００２１】
クッション本体１１は縦９０ｃｍ、横幅６０ｃｍ、展開したときの厚さ５〜２０ｃｍの大きさを有し、クッション本体１１を構成する半部１１Ａ、１１Ｂは外形円弧状で、一側縁には円弧状凹部１１Ｃが形成された平面Ｃ字状をなし、２つの半部１１Ａ、１１Ｂの一側縁の上縁が例えば相互に縫合されることによってクッション本体１１は２つ折り可能な形態となっている。なお、半部１１Ａ、１１Ｂの一側縁の上縁は縫合ではなく、紐などによって連結するようにしてもよい。また、図３に示されるように、半部１１Ａ、１１Ｂの一側縁を面ファスナー１１Ｆによって着脱可能に連結するようにしてもよい。
【００２２】
クッション本体１１の半部１１Ａ、１１Ｂは綿糸７０％、ポリエステル糸２５％、ポリウレタン糸５％を用いてパイル編みで編成した伸縮性のあるパイル編み生地を用いて製作され、一方の半部１１Ａには平均粒径０．５ｍｍ以上３０ｍｍ以下の範囲内の大きさの球状をなす合成樹脂製発泡ビーズが内蔵され、他方の半部１１Ｂ内にはポリエステル綿又はポリウレタンフォームが内蔵されている。
【００２３】
なお、クョシッン本体１１については綿糸１００％のパイル編み生地でもよく、パイル編み生地以外のあらゆる公知の生地を使用することもできる。また、クッション本体１１の半部１１Ａ、１１Ｂに合成樹脂製発泡ビーズを内蔵するようにしてもよく、綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体を内蔵するようにしてもよい。
【００２４】
他方、補助クッション１２はクッション本体１１の中央の穴に嵌まり込む外形状、即ち２つの円弧を連結した外形状となっている。この補助クッション１２は綿糸７０％、ポリエステル糸２５％、ポリウレタン糸５％を用いてパイル編みで編成した伸縮性のあるパイル編み生地を用いて製作され、平均粒径０．５ｍｍ以上３０ｍｍ以下の範囲内の大きさの球状をなす合成樹脂製発泡ビーズが内蔵されている。
【００２５】
なお、この補助クッション１２についても綿糸１００％のパイル編み生地でもよく、パイル編み生地以外のあらゆる公知の生地を使用することもできる。また、クッション本体１１の半部１１Ａ、１１Ｂに合成樹脂製発泡ビーズを内蔵するようにしてもよく、綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体を内蔵するようにしてもよい。
【００２６】
なお、発泡ビーズやポリエステル綿は直接内蔵するようにしているが、洗濯ができるように内袋に入れてからファスナーの開閉などによってクッション本体１１の半部１１Ａ、１１Ｂや補助クッション１２に取外し可能に内蔵してもよい。
【００２７】
授乳を行う場合、図２の（ａ）に示されるように、補助クッション１２をクッション本体１１から外し、クッション本体１１の一方の半部１１Ａを他方の半部１１Ｂに折り重ねると、クッション本体１１は図２の（ｂ）に示されるような円弧状の形態となる。
【００２８】
そこで、図３の（ｂ）に示されるように、母親の腰回りを折り重ねたクッション本体１１の凹所に嵌め込み、半部１１Ａの上に乳児を載せると、乳児がクッション本体１１によって授乳の姿勢に安定に受けられて乳児の姿勢が安定し、母親は楽な姿勢で授乳を行うことができる。
【００２９】
他方、乳児を寝かせる場合にはクッション本体１１を展開し、補助クッション１２を図１に示されるように展開したクッション本体１１の中央の穴に嵌め込むと、クッション本体１１と補助クッション１２が滑らかなベッド面を構成するので、ベッド面に乳児を寝かせると、乳児の脚部がクッション本体１１の他方の半部１１Ｂ上に載り、臀部から上半身が補助クッション１２及びクッション本体１１の一方の半部１１Ａで受けられ、補助クッション１２及びクッション本体１１の一方の半部１２Ａの発泡ビーズが乳児の体重を受けて流動し、乳児の背骨の後湾に対応した形状の凹部を形成するので、乳児の背骨の後湾を安定に保持することができる。
【００３０】
図５は第２の実施形態を示し、図において図１ないし図３と同一符号は同一又は相当部分を示す。本例ではクッション本体１１の半部１１Ａ、１１Ｂが他側縁から一側縁に向けて厚みが次第に厚くなるような立体形態に製作されている。
【００３１】
これにより、クッション本体１１の穴に補助クッション１２を嵌め込んだときにベッド面が既に乳児の背骨の後湾にほぼ対応した形状となっているので、乳児の背骨の後湾をより確実に維持できる。
【００３２】
なお、クッション本体の２つの半部の一側縁の端部の間にベルト、紐、面ファスナーを設けて母親の腰回りへの装着安定性を向上させるようにしてもよい。また、クッション本体及び補助クッションには発泡ビーズだけや綿やポリウレタンフォームだけを内蔵させることもできる。
【００３３】
ところで、乳児は母親の顔、特に瞳を認識する傾向にあり、母親の瞳と似たようなドット模様に対して視覚を刺激され、視覚の発達によい影響があることが期待される。そこで、クッション本体や補助クッションの表面に母親の瞳と似たような大きさや形状のドット模様、例えば１０ｍｍ〜１３ｍｍの範囲内の直径の円形又は楕円形（楕円形の場合には短径が１０ｍｍ〜１３ｍｍの範囲内とする）のドット模様を描くと、乳児の視覚を刺激して乳児の注意を喚起できる。
【００３４】
図６は第３の実施形態を示し、図において図５と同一符号は同一又は相当部分を示す。  本例ではクッション本体１１及び補助クッション１２の表面全面に、黒色又は赤色の
ドット２０の模様を設けている。このドット２０は母親の瞳と似たような大きさや形状のドット模様、例えば１０ｍｍ〜１３ｍｍの範囲内の直径の円形（又は短径が１０ｍｍ〜１３ｍｍの範囲内の楕円形でもよい）となっている。
【００３５】
図７は第４の実施形態を示し、図において図６と同一符号は同一又は相当部分を示す。本例ではクッション本体１１及び補助クッション１２の表面の一部に、黒色又は赤色の
ドット２０の模様を設けている。
【００３６】
なお、ドット２０の大きさは特に限定されず、上述の範囲外の大きさであっもよく、又黒色や赤色以外の色であっもよい。
【００３７】
図８は第５の実施形態を示し、図において図１と同一符号は同一又は相当部分を示す。本例では折り畳んだ時に表面となるクッション本体１１の面にドット２０を設けるようにしている。
【００３８】
図９は第６の実施形態を示す。本例ではクッション本体１１を、押されることによって流動し得る合成樹脂製の発泡ビーズ又は押されることによって変形し得る綿、ポリウレタンフォーム、ポリエチレンファイバー、ポリエステルファイバー、ポリエチレンファイバー又はポリエステルファイバーのからみ合った３次元構造体あるいはエラストマー樹脂の３次元構造体の主層１１Ｃの上に、該主層１１Ｃに比較して固い補助層１１Ｄを積層して構成している。
【符号の説明】
【００３９】
１０      多機能クッション
１１      クッション本体
１１Ａ，１１Ｂ      半部
１２      補助クッション
【図１】
2019198621.tif 000003
【図２】
2019198621.tif 000004
【図３】
2019198621.tif 000005
【図４】
2019198621.tif 000006
【図５】
2019198621.tif 000007
【図６】
2019198621.tif 000008
【図７】
2019198621.tif 000009
【図８】
2019198621.tif 000010